(57)【要約】　　　（修正有）【課題】靴の通気度とその快適度とを測定するための改良された装置を提供する。【解決手段】足の外形を模造し、互いに熱的に絶縁された少なくとも３つの領域１０ｂ，１０ｃ，１０ｅ，１０ｆ，１０ｇに分けられた、試験される靴のための剛性構造体１０と、この剛性構造体の前記領域を事前設定可能な温度まで加熱するための抵抗器と、液体透過性柔軟材料から作られ、水を吸収し、かつ、その水を前記剛性構造体の全表面に分配する少なくとも１つの被覆体１２と、前記外形の領域に対応する被覆体の領域の温度を検出するためのセンサー１５ｂ，１５ｃ，１５ｅ，１５ｆ，１５ｇと、前記構造体に水を供給するための計量ポンプと、電力測定装置とを備える。【選択図】　図１
2004097798.tif 000002
【特許請求の範囲】
【請求項１】
足の外形を模造する自立型熱伝導性材料から作られ、互いに熱的に絶縁された少なくとも３つの領域（１０ｂ，１０ｃ，１０ｅ，１０ｆ，１０ｇ）に分けられ、かつ、試験される靴（１１）を支持する剛性構造体（１０）と、
この剛性構造体（１０）の前記領域のそれぞれを事前設定可能な温度まで独立的に加熱するための手段（１３ｂ，１３ｃ，１３ｅ，１３ｆ，１３ｇ）と、
柔軟材料から作られ、その構造体が、液体透過性であり、かつ、水を吸収することができるとともに、水が取り巻く前記剛性構造体（１０）の全表面に水を分配することのできる少なくとも１つの被覆体（１２）と、
前記外形の領域に対応する前記の少なくとも１つの被覆体（１２）の領域のそれぞれにおける外部温度を検出するための手段（１５ｂ，１５ｃ，１５ｅ，１５ｆ，１５ｇ）と、
その少なくとも１つの被覆体（１２）で覆われた前記構造体（１０）に水を計量供給するための手段（３０）と、
前記領域の温度を一定に維持するために、消費された電力を測定するための手段（３２）と
を備えてなることを特徴とする、靴の通気度および快適度の測定装置。
【請求項２】
さらに、相対湿度を検出するための手段（３５）を備えていることを特徴とする請求項１に記載の装置。
【請求項３】
自立型材料から作られた剛性構造体（１０）が、アルミニウムなどから作られていることを特徴とする請求項１に記載の装置。
【請求項４】
前記剛性構造体の前記領域のそれぞれを事前設定可能な温度まで独立的に加熱するための前記手段が、電力供給されかつ調節可能である抵抗要素（１３ｂ，１３ｃ，１３ｅ，１３ｆ，１３ｇ）によって構成されていることを特徴とする請求項１に記載の装置。
【請求項５】
前記抵抗要素が、温度調節器（１４ｂ，１４ｃ，１４ｅ，１４ｆ，１４ｇ）によって調節することができることを特徴とする請求項４に記載の装置。
【請求項６】
前記抵抗要素（１３ｂ，１３ｃ，１３ｅ，１３ｆ，１３ｇ）が、前記剛性構造体（１０）を構成する材料の中に埋め込まれていることを特徴とする請求項４に記載の装置。
【請求項７】
前記剛性構造体の前記領域のそれぞれの外部温度を検出するための前記手段が、前記の少なくとも１つの被覆体（１２）に取り付けられた熱電対（１５ｂ，１５ｃ，１５ｅ，１５ｆ，１５ｇ）によって構成されていることを特徴とする請求項１に記載の装置。
【請求項８】
柔軟材料から作られた前記被覆体（１２）が、およそ４００重量％に等しい量の水を吸収することができるとともにその水を分配することができることを特徴とする請求項１に記載の装置。
【請求項９】
柔軟材料から作られた前記被覆体（１２）が、布地などから作られていることを特徴とする請求項１に記載の装置。
【請求項１０】
前記剛性構造体（１０）が、５つの領域、すなわち、つま先（１０ｂ）、中底（１０ｃ）、外底（１０ｅ）、甲（１０ｆ）およびかかと（１０ｇ）に分けられていることを特徴とする請求項１に記載の装置。
【請求項１１】
前記領域（１０ｂ，１０ｃ，１０ｅ，１０ｆ，１０ｇ）が、シリコーン隔膜（１０ａ）によって分けられていることを特徴とする請求項１に記載の装置。
【請求項１２】
その被覆体（１２）で覆われた前記構造体（１０）のさまざまな領域に水を計量供給するための前記手段が、電子制御ユニット（３１）で駆動される精密ポンプ（３０）によって構成されていることを特徴とする請求項１に記載の装置。
【請求項１３】
精密ポンプ（３０）が、蠕動型のものであることを特徴とする請求項１２に記載の装置。
【請求項１４】
さらに、基部（１９ｂ）および梁（１９ａ）から構成された支持用フレーム（１９）と、その梁（１９ａ）に固定されている前記構造体（１０）の垂直な往復並進運動のための第１アクチュエーター（１８）と、自由ローラー（２４）を支持し、往復並進運動用第２アクチュエーター（２５）の作動によって前記基部（１９ｂ）の上を水平に滑走することができる往復台（２３）とを備えていることを特徴とする先行請求項のいずれか１つに記載の装置。
【請求項１５】
さらに、自由ローラー（１２４）を支持する前記往復台（１２３）のストロークの間に、試験される靴（１１）の底革を載せるために、前記自由ローラー（１２４）の外面を滑動することができる板（１４０）を備え、この板（１４０）は、底革との当接の傾きを、前記の靴（１１）のかかとの方へ向けられている前記の板（１４０）の一方端部が他方端部よりも高い位置に相当する非作動位置から、前記の靴（１１）が完全に上昇する工程に対応する前記非作動位置に復帰させるための復帰手段（１４３）に関連している前記の板（１４０）のほぼ水平位置まで変化させるように、前記フレーム（１１９）および前記ローラー（１２４）に一体に連結されていることを特徴とする請求項１４に記載の装置。
【請求項１６】
前記の板（１４０）が、前記復帰手段（１４３）によって前記の靴（１１）のかかとの方へ向けられている第１端部で、前記ビーム（１１９ａ）に一体に連結されていることを特徴とする請求項１５に記載の装置。
【請求項１７】
前記復帰手段が、弾性要素（１４３）からなることを特徴とする請求項１６に記載の装置。
【請求項１８】
前記復帰手段（１４３）が、油圧ピストンからなることを特徴とする請求項１６に記載の装置。
【請求項１９】
前記自由ローラー（１２４）の外面に、前記の板（１４０）の滑動を規制するための少なくとも１つのガイド（１４１）が設けられていることを特徴とする請求項１５に記載の装置。
【請求項２０】
さらに、往復並進運動用の前記第１アクチュエーター（１８，１１８）と前記構造体（１０，１１０）との間に介在された荷重計（１７，１１７）を備えていることを特徴とする請求項１４に記載の装置。
【請求項２１】
さらに、往復並進運動用の前記第１および第２アクチュエーター（１８，２５）の速度および同期を制御するための手段（３６）を備えている請求項１４に記載の装置。
【請求項２２】
さらに、前記構造体（１０）に対して前記基部（１９ｂ）の前方および後方にそれぞれ配置された、前記往復台（２３）のための第１ストローク規制センサー（２６ａ）および第２ストローク規制センサー（２６ｂ）を備えている請求項１４に記載の装置。
【請求項２３】
往復並進運動用の第１アクチュエーター（１８）が、軸付き空気シリンダーによって構成されていることを特徴とする請求項１４に記載の装置。
【請求項２４】
往復並進運動用の第２アクチュエーター（２５）が、軸なし空気シリンダーによって構成されていることを特徴とする請求項１４に記載の装置。
【請求項２５】
速度および同期を制御するための前記手段（３６）が、圧力制御バルブからなることを特徴とする請求項２１〜２４のいずれか１つに記載の装置。
【請求項２６】
さらに、往復並進運動用の前記第１および第２アクチュエーター（１８，２５）の内側における空気の流れを調整するとともに前記第１および第２ストローク規制センサー（２６ａ，２６ｂ）と協働する空気式電動バルブ（２６ｃ）を備えていることを特徴とする請求項２２〜２４のいずれか１つに記載の装置。
【請求項２７】
さらに、前記構造体（１０）のための換気手段（２７）を備えていることを特徴とする先行請求項のいずれか１つに記載の装置。
【請求項２８】
前記換気手段（２７）が、電動ファンによって構成されていることを特徴とする請求項２７に記載の装置。
【請求項２９】
一定湿度試験のために構成され、試験される前記の靴（１１）に、被覆体（１２）および前記相対湿度センサー（１５ｂ，１５ｃ，１５ｅ，１５ｆ，１５ｇ）で覆われた前記構造体（１０）が嵌め入れられ、これらの湿度センサーおよび温度センサーが前記制御ユニット（３１）に信号をもたらし、前記制御ユニット（３１）は、前記内部湿度が設定最小値よりも低くなると、水を前記構造体（１０）へ送るためにかつその湿度を設定値まで戻すために作動される精密ポンプ（３０）を駆動する、先行請求項のいずれか１つに記載の装置による靴の通気度および快適度の測定方法。
【発明の詳細な説明】
【０００１】
この発明は、靴の通気度とその快適度とを測定するための改良された装置に関するものである。
【０００２】
人間の発汗作用はそれぞれが汗腺に通じている皮膚の毛穴から汗を排出することによって起きる、ということが知られている。
【０００３】
発生した汗は液体であり、温かい皮膚に触れると、それ自体の蒸発潜熱（３０℃でおよそ５８０カロリー／ｇ）を放出しながら蒸発する。
【０００４】
これにより皮膚が冷やされて、体温調節が活発になる。
【０００５】
衣料品あるいは靴の通気度を測定するために普通使われたいくつかのシステムは、それらを構成する材料にだけ関係があるものである。
【０００６】
これらのシステムによって、１時間当たりのｍｇ／ｃｍ２で、あるいは１日当たりのｇ／ｍ２で規定された通気度に関するデーターを得ることができる。
【０００７】
このような試験の基礎条件は、例えばＵＮＩ８４２９規格で規定されているが、それらは例えばすべての靴には適用することができない。なぜなら、それらには、複数の層の存在、足の動きおよび相異なる発汗条件のような必要条件が規定されていないからである。
【０００８】
耐水性はあるが通気性のない物品と耐水性および通気性のある物品との間における通気度の差の測定に基づいており、それゆえ、人間の足による水蒸気発生のシミュレーションが部分的に可能になり、従って、靴の水蒸気透過率の測定が部分的に可能になる複雑なシミュレーションシステムもまた考案されている。
【０００９】
このシステムは、米国特許第４，９１８，９８１号に開示されており、実際に、例えば靴、手袋などのような、発汗作用によって生じた水蒸気を透過させるための閉鎖要素を形成する身体装着製品を試験するための方法および装置に関するものである。
【００１０】
その装置には、水蒸気透過率が高く、試験される製品の中に挿入されるとともに水で満たされる、薄くて柔軟であって防水性のある閉鎖ジャケットが備わっている。
【００１１】
この水は、体温をシミュレートするとともにその製品の内側に高湿度の水蒸気を作り出すために、加熱することができる。
【００１２】
その製品の外側における環境へ移動した湿気の量が試験されるとともに、その製品の中に吸収されかつ凝縮された湿気の量を、その試験時間の前、中および後に行われた測定の重量差によって測定することができる。
【００１３】
なお、このシステムを靴へ応用すると、一様であって信頼度のある結果をもたらさない。それは、足がさらされる実際の動作条件、とりわけ歩行中および／または走行中における動作条件がシミュレートされておらず、また、使用中における靴の内側に生じる微気候が追試されていないためである。
【００１４】
既知量の汗（水蒸気）を作り出すことのできる他のいくつかの装置も知られているが、それらの調整システムは、自動調整をするには精密ではなく、また、どのような場合にも、足−靴システムの中で生じる実際の熱交換および水蒸気交換の現象が追試されていない。
【００１５】
靴の通気度を測定する装置もまた、最近、考案され、米国特許第６，４８７，８９１号に開示されている。このような装置には、支持用基部の上に、試験される靴を支持するように適合された足の外形を模造する、自立型材料から作られた中空本体が備わっている。
【００１６】
この本体には、その外面に配設されて水が入れられるいくつかの貫通孔がある。
【００１７】
この中空本体を取り囲むように、防水性・通気性材料（膜）から作られた中敷が配置されている。
【００１８】
間隔を置いて配置された１つの構造体と靴の底革に押し付けられる他の構造体との間における前記中空本体に対する相対移動を行うために、押圧要素が設けられている。
【００１９】
この装置には、前記中空本体の中の水を事前設定された一定温度まで加熱するための手段と、このような中空本体の重量をそれに関連するすべてのものおよび試験される靴とともに測定するための手段とがさらに備わっている。
【００２０】
以上のようないくつかの装置、そしてとりわけ、技術的諸工程を構成するにもかかわらず、定性的に最良であるように実際に改良された最後の装置にはいくつかの欠点のあることが分かったが、これらの欠点には、
靴に挿入する際の困難性、
試験中における中敷の破断の頻発、従って、結果が変わる液体喪失のおそれ、いかなる場合にも足のさまざま領域に従って多様化することのできない、内部温度の調節精度の不足、
温度の値にかかわりなく生じた水蒸気の量の調節不能
既知量の水を供給した後に生じた靴と人工足との間における内部相対湿度の対応値の決定不能、
データーを重要で利用可能なものにほとんどすることのないデーターの再現困難性（ＶＣ＜２０％）、
現実の物理的発汗現象の非再現性
が含まれている。
【００２１】
いかなる場合にも、靴−足システムによって消費された熱量あるいはより一般的にはエネルギーを求めることができない、ということにも留意すべきである。
【００２２】
この発明の目標は、人間の足における質量・エネルギー交換をシミュレートすることができ、従って靴の通気性能を測定することができる装置を提供することにある。
【００２３】
この目標の範囲内で、この発明の１つの目的は、主観的な熱生理学的試験によることなく、靴の水蒸気透過率、吸水率、放熱率の値を予測することのできる装置を提供することにある。
【００２４】
この発明の別の目的は、靴の内側に生じた微気候を正確に再現することができる装置を提供することにある。
【００２５】
さらに別の目的は、構造的に簡単であり、かつ、使いやすい装置を提供することにある。
【００２６】
これ以降いっそう明らかになるであろうこの目標、これらの目的および他の目的は、靴の通気度および快適度を測定するための改良された装置によって達成され、この装置は、
足の外形を模造する自立型熱伝導性材料から作られ、互いに熱的に絶縁された少なくとも３つの領域に分けられ、かつ、試験される靴を支持する剛性構造体と、
この剛性構造体の前記領域のそれぞれを事前設定可能な温度まで独立的に加熱するための手段と、
柔軟材料から作られ、その構造体が、液体透過性であり、かつ、水を吸収することができるとともに、水が取り巻く前記剛性構造体の全表面に水を分配することのできる少なくとも１つの被覆体と、
前記外形の領域に対応する前記の少なくとも１つの被覆体の領域のそれぞれにおける外部温度を検出するための手段と、
その少なくとも１つの被覆体で覆われた前記構造体に水を計量供給するための手段と、
前記領域の温度を一定に維持するために、消費された電力を測定するための手段と
を備えてなることを特徴とする。
【００２７】
この発明に係る装置のさらに別の特徴および利点は、添付図面における非限定的な例として図示されたその実施態様の詳細な説明からいっそう明らかになるであろう。
【００２８】
これらの図によれば、靴の通気度を測定するための改良された装置には、アルミニウムなどのような熱伝導性自立型材料から作られた中心剛性構造体１０が備わっており、これにより足の外形が模造されるが、この構造体１０は、参照符号１１で表された試験すべき靴を支持するように設計されている。
【００２９】
この構造体１０は少なくとも３つの領域に分けられているが、これらの領域は、互いに熱的に絶縁され、かつ、温熱条件の差が試験で観察された足の領域に対応している。
【００３０】
考慮されている事例で述べたように、構造体１０は、例えば温熱条件を互いに隔てるいくつかのシリコーン隔膜１０ａによって、５つの領域、すなわち、つま先１０ｂ、中底１０ｃ、外底１０ｅ、甲１０ｆおよびかかと１０ｇに分けられているのが好ましい。
【００３１】
この装置には、剛性構造体１０の前記領域１０ｂ・１０ｃ・１０ｅ・１０ｆ・１０ｇを事前設定可能な温度まで独立して加熱するための手段がさらに備わっており、この加熱手段は、考慮されている事例では、参照符号１３ｂ・１３ｃ・１３ｅ・１３ｆ・１３ｇでそれぞれ表された抵抗要素から構成されているが、これらの抵抗要素は、電力供給され、例えば温度調節器１４ｂ・１４ｃ・１４ｅ・１４ｆ・１４ｇによって調節することができる。
【００３２】
これらの抵抗要素は、剛性構造体１０を構成する材料の中に埋め込まれているのが好ましい。
【００３３】
構造体１０は、連続気泡ポリウレタンやフェルトのような液体透過性柔軟材料（例えば２０〜３０ショアの硬さを有している）、あるいは水を吸収する（およそ４００重量％まで）ことができるとともにその水を構造体１０の全表面にわたって分配することができる繊維材料から作られた被覆体１２によって、取り囲まれている。
【００３４】
構造体１０の前記領域に対応する被覆体の領域のそれぞれにおける外部温度を検出するためのいくつかのセンサー手段が、例えばかがり縫いによって被覆体１２に取り付けられているが、これらは、参照符号１５ｂ・１５ｃ・１５ｅ・１５ｆ・１５ｇでそれぞれ表された例えば熱電対から構成されている。
【００３５】
図８は、電気回路図であり、参照符号４０で表された２２０Ｖの主電源の電線が、２つの変圧器４１ａ・４２ａによってそれぞれ１２Ｖおよび２４Ｖで供給される２つの電線４１・４２に分かれていることを示している。
【００３６】
温度調節器４１は２４Ｖの電線４２に並列状に配置されており、これらの温度調節器１４には、熱電対１５、タイマー２７ａおよび関連スイッチ付きの電動ファン２７、荷重計１７および、関連スイッチ付きの空気式電動バルブ２６ｃが接続されている。
【００３７】
抵抗要素１３は、関連スイッチとともに、電線４１に並列に配置されている。
【００３８】
安全ヒューズが、全体として参照符号４５で表されている。
【００３９】
この電気回路図のいくつかの要素は以下で説明される。
【００４０】
構造体１０は、荷重計１７を介して、軸付きの空気シリンダー１８のような、垂直な往復並進運動のための第１アクチュエーターに取り付けることができる。
【００４１】
空気シリンダー１８は、支持用フレーム１９の梁１９ａに一体に固定されている。
【００４２】
フレーム１９は、基部１９ｂから立ち上がっており、基部１９ｂの上では、真っ直ぐなガイド２２に沿って往復台２３が下方領域を滑走することができ、往復台２３によって自由ローラー２４が支持されている。
【００４３】
往復台２３は、構造体１０と協働して人間の歩行をシミュレートする往復運動を行うために、軸なし空気シリンダー２５のような往復並進運動用第２アクチュエーターによって作動する。
【００４４】
往復並進運動用の第１アクチュエーターおよび第２アクチュエーターは、圧力制御バルブからなる速度・同期制御手段３６（図５）に接続されている。これらのバルブによって、内側を流れる流体の圧力が変化し、そしてその速度が変化し、従って、空気シリンダー１８の上昇および下降の振動数と、軸なし空気シリンダー２５の前進ストロークおよび後退ストロークの振動数とが変化する。
【００４５】
このようにして、前記バルブの作動を同期させることができるので、速度を変えた歩行をシミュレートすることができる。
【００４６】
基部１９ｂの上には、往復台２３のための第１ストローク規制センサー２６ａおよび第２ストローク規制センサー２６ｂが、往復台２３の前方および後方にそれぞれ配置されている。
【００４７】
これらのセンサーは、第１アクチュエーターおよび第２アクチュエーターの内側における空気の流れを調整する空気式電動バルブ２６ｃと協働する。
【００４８】
構造体１０で占められた領域の前方に配置された例えば電動ファン２７のような、構造体１０の換気を行うための換気手段もまた備わっている。
【００４９】
構造体１０のさまざまな領域にその被覆体で水を計量供給するための手段もまた備わっており、この手段は、電子制御ユニット３１で駆動される例えば精密ポンプ３０（例えば、複数のダクトを同時に吸排することもできる、構造体１０の各領域に対して１つ以上の蠕動ポンプ）によって構成されている。
【００５０】
水が、相異なる温度に維持されている構造体１０の前記領域の中に流し込まれ、構造体１０の中に配置されたダクト３３を通って、構造体から導き出された孔３４により分配される。
【００５１】
構造体１０の前記領域の温度を一定に維持するために消費された電力を確定するための測定手段もまた設けられており、この測定手段は、構造体１０を加熱するとともにその温度を検出するための手段と同様なユニット３１に接続された例えば電力計３２によって構成されている。
【００５２】
相対湿度を確定するための湿度検出手段もまた設けられており、この検出手段は、ユニット３１にも接続された例えば湿度センサー３５によって構成されている。
【００５３】
操作原理は次のとおりである。往復台２３は、構造体１０の後方に配置されたストローク規制位置から前方領域へ向かう軸なしシリンダー２５の作動によって並進運動を行い、第２センサー２６ｂを作動させる。この箇所で軸付き空気シリンダー１８が下降し始め、構造体１０が試験される靴１１の中に嵌め入れられる。
【００５４】
構造体１０が下降すると、歩行動作をシミュレートするために、往復台２３に一体結合された自由ローラー２４が靴１１の底革外面を転がる。
【００５５】
この工程の間、軸付き空気シリンダー１８は押し続けられて、靴の使用者の体重がシミュレートされる。荷重計１７は、この歩行シミュレーションの間、靴に掛かる荷重の分布を正確に与えるために、フィードバック制御要素として作用する。
【００５６】
往復台２３が前方の第１ストローク規制センサー２６ａに達すると、軸付き空気シリンダー１８が上昇して、それとともに構造体１０を引き上げる。
【００５７】
次いで、往復台２３が、軸なしシリンダー２５によって後方のストローク規制センサー２６ｂへ戻されて、新しいサイクルが始まる。
【００５８】
必要であると考えるときには、靴１１における空気の作用をシミュレートするために、ファン２７を作動させることができる。このファン２７はタイマー２７ａによって制御される。
【００５９】
図９に示されたこの発明の代わりの実施態様では、往復台１２３のストロークの間に、試験される靴１１の底革を載せるために、自由ローラー１２４の外面を滑動することのできる板１４０が使われる。
【００６０】
この板１４０は、靴１１の底革との当接の傾きを非作動位置からこの板がほぼ水平である位置まで変化させるように、フレーム１１９およびローラー１２４に一体に連結されている。
【００６１】
この非作動位置は、靴１１のかかとの方へ向けられている前記の板の一方端部が他方端部よりも高い位置に相当する。
【００６２】
往復台１２３のストロークの間に、板１４０は、軸付き空気シリンダー１１８および軸なしシリンダー１２５でもたらされる、靴１１および自由ローラー１２４それぞれの複合的な垂直／水平運動によって、靴１１の底革との当接の傾きが変化する。
【００６３】
板１４０は、自由ローラー１２４の外面に形成されたガイド１４１（図１１）により規制されて滑動することができる。
【００６４】
また、板１４０は、靴１１が完全に上昇する工程に対応する位置に復帰させるための手段によって靴１１のかかとの方へ向けられている第１端部で、ビーム１１９ａにも一体に連結されている。
【００６５】
この復帰手段は、弾性要素１４３によって、あるいは別の方法としての、図９の要素１４３として取り付けられかつ作動する油圧ピストンによって、構成されている。
【００６６】
このような代わりの実施態様における操作の変形は次のとおりである。
【００６７】
構造体１１０が下降する間、靴１１の底革は、自由ローラー１２４の上で水平になるまで回転する板１４０に載っている。
【００６８】
この工程の間、弾性要素１４３は板１４０の上方へ引き出されて板１４０の回転と対照的な動きをする傾向にある。
【００６９】
往復台１２３が前方の第１ストローク規制センサー２６ａに達すると、軸付き空気シリンダー１１８が上昇して、構造体１１０がいっしょに引き上げられる。
【００７０】
次いで、往復台１２３が、軸なしシリンダー１２５によって後方のストローク規制センサー１２６ｂへ戻されて、新しいサイクルが始まる。
【００７１】
この工程で、板１４０は靴１１の底革に対する傾きが再び変化するが、これは足を地面から上げることに対応している。
【００７２】
このようにして、歩行の際における靴１１に接している地面の作用がシミュレートされる。
【００７３】
これらの操作の間、操作者によってあらかじめ設定することのできる量の水が加熱された構造体１１０の中へ流し込まれ、その構造体１１０によってその水が分配される被覆体１２が湿らされる。
【００７４】
この水は、生理学的にほとんど完全である方法で人間の発汗作用をシミュレートするために、蒸発する。
【００７５】
水の流れは、２つの別々の方法で、すなわち、一定湿度での試験および一定流量での試験のために、調整される。
【００７６】
一定湿度試験については、試験される靴１１に構造体１０が嵌め入れられるとともにいくつかの相対湿度センサーが挿入される。これらのセンサーは、いくつかの熱電対１５と協働して、靴１１の壁と被覆体で覆われた構造体１０との間に生じた微気候を検出することができる。
【００７７】
これらのセンサーによって制御ユニット３１へ信号が送られ、精密ポンプ３０が作動する。そして、内部湿度が設定最小値よりも低くなると、水を構造体１０へ送るためにポンプ３０が作動して、その湿度が設定値まで戻る。
【００７８】
明らかなことであるが、構造体１０によって消費される湿気および熱の量はその構造体１０の生理学的諸性質に左右され、従って、これらの性質は電力および水の消費量によって正確に検出しかつ測定される。
【００７９】
一定流量試験については、その被覆体で覆われた構造体１０に既知量の水が供給され、さまざまな層における水の分配量が、試験の間に、結果として生じる湿度の値とともに検査される。
【００８０】
これらすべての操作は、一定の温度および湿度に調節されたチャンバーの中で行われる必要がある。
【００８１】
相異なるいくつかの靴を使うことで、相異なる通気度および吸収度を評価することができる。
【００８２】
いくつかの点で改造された同一の靴をいくつか使うことで、それらの相違点と、従って１つの靴に生じた他の靴に対する改造点とを評価することができる。
【００８３】
この発明が意図した前記目標および前記諸目的は実際に達成された。
【００８４】
この装置は、人間の足に生じる質量およびエネルギーの変化を実際にシミュレートすることができ、従って、相異なる靴の通気度および吸収性能を測定することができる。
【００８５】
以上のように考案されたこの発明には、さまざまな改造および変更を施すことができ、それらのすべてはこの明細書におけるいくつかの請求項の範囲内にある。
【００８６】
すべての細部は、技術的に等価な他の諸要素で置き換えることができる。
【００８７】
実際に、使われた材料は、本質的でない使用に互換することができる限り、寸法とともに、要求に従ったいかなるものであってもよい。
【００８８】
【発明の効果】
この発明によれば、主観的な熱生理学的試験によることなく、靴の水蒸気透過率、吸水率、放熱率の値を予測することができるとともに、靴の内側に生じた微気候を正確に再現することができる、靴の通気度および快適度の測定装置を得ることができる。
【図面の簡単な説明】
【図１】図１は、この発明に係る装置の一部の分解図である。
【図２】図２は、この発明に係る装置の内部で構成された、足の外形を模造する支持構造体の斜視図である。
【図３】図３は、図２における構造体の横断面図である。
【図４】図４は、図２における構造体の一部の側面図である。
【図５】図５は、この発明に係る装置の一部の概略側面図である。
【図６】図６は、この発明に係る装置の一部の機能図である。
【図７】図７は、この装置の概略ブロック図である。
【図８】図８は、この発明に係る装置の電気回路図である。
【図９】図９は、この発明に係る装置の代わりの実施態様の概略側面図である。
【図１０】図１０は、図９の細部の拡大側面図である。
【図１１】図１１は、図１０の細部の平面図である。
【図１】
2004097798.tif 000003
【図２】
2004097798.tif 000004
【図３】
2004097798.tif 000005
【図４】
2004097798.tif 000006
【図５】
2004097798.tif 000007
【図６】
2004097798.tif 000008
【図７】
2004097798.tif 000009
【図８】
2004097798.tif 000010
【図９】
2004097798.tif 000011
【図１０】
2004097798.tif 000012
【図１１】
2004097798.tif 000013